(57)【特許請求の範囲】
【請求項１】
建築物に設置された所定の機器の異常を検知した場合に通報情報を発信する端末装置からの前記通報情報を受信する受信装置と、
この受信装置にて受信した通報情報を記録する少なくとも３つ以上のデータ記憶装置と、
これら複数のデータ記憶装置へのデータの記録が可能なデータ処理装置とを備えた監視センタ装置のデータを更新するためのデータ同期登録装置であって、
前記複数のデータ記憶装置のうちのいずれか２つに記録されているデータ間の差分データを抽出するデータ差分抽出装置と、
このデータ差分抽出装置にて抽出した差分データを、前記２つのデータ記憶装置のうちの前記差分データが記録されていない一方に記録させるデータ同期装置とを有し、
前記データ同期装置は、前記データ差分抽出装置にて抽出された差分データを、前記２つのデータ記憶装置とは異なるデータ記憶装置に記録させるとともに、このデータ記憶装置に差分データを記憶させた後に前記データ差分抽出装置にて抽出される新たな差分データを、前記２つのデータ記憶装置のうちの前記新たな差分データが記録されていない一方と、前記２つのデータ記憶装置とは異なるデータ記憶装置とのそれぞれに記録させることを特徴とするデータ同期登録装置。
【請求項２】
請求項１記載のデータ同期登録装置において、
前記データ処理装置は、前記データ差分抽出装置による差分データの抽出と、前記データ同期装置による前記差分データの記録とを繰り返させ、前記データ差分抽出装置にて差分データが抽出されない場合に、前記２つのデータ記憶装置のうちのいずれか一方を切り離し可能とすることを特徴とするデータ同期登録装置。
【発明の詳細な説明】
【技術分野】
【０００１】
本発明は、建築物に設置された所定の機器の異常を検知する端末装置を用いた監視センタ装置のデータを更新するためのデータ同期登録装置に関する。
【背景技術】
【０００２】
この種の従来技術としては、下記特許文献１に示されているものがある。この従来技術は、建築物に設置された所定の機器の異常を検知する端末装置を用い、これら各機器の異常を監視センタ装置にて監視しているものである。そして、この監視センタ装置に記録されているデータの更新には、この監視センタ装置のデータ記憶装置の現行運用ディスクにこれまで記録させた情報を、新たなデータ記憶装置に記憶させる必要がある。
【０００３】
具体的に、この特許文献１に示される従来技術においては、監視センタ装置による監視業務が終了した後、この監視センタ装置の全装置をすべて停止させ、この監視センタ装置のデータ記憶装置に設けられている退避用ディスクに、このデータ記憶装置の現行運用ディスクに記録されている全情報をコピーさせている。
【０００４】
その後、このデータ記憶装置の現行運用ディスクを用い、監視センタ装置による監視業務を行う一方、新たな監視センタ装置の新データ記憶装置の運用ディスクに、現行運用ディスクからコピーした全情報をコピーさせる。そして、例えば翌営業日等の次の監視業務終了後に、現行運用ディスクの情報のうちの、退避用ディスクにコピーされていない差分情報のみを新たな監視センタ装置の新データ記憶装置の運用ディスクにコピーし、例えば翌日等の次の営業開始時から、新たな監視センタ装置による監視業務を開始させている。
【先行技術文献】
【特許文献】
【０００５】
【特許文献１】特開２００９−２３０５８６号公報
【発明の概要】
【発明が解決しようとする課題】
【０００６】
しかしながら、前述した特許文献１に示される従来技術では、監視センタ装置のデータ記憶装置に記録されている膨大な量の監視データを、新たな監視センタ装置の新データ記憶装置にコピーして移行させる際に、この監視センタ装置による監視業務を停止させる必要がある。このため、２４時間３６５日に亘って監視業務を停止できない監視センタ装置のデータ更新方法として用い得ない。
【０００７】
本発明は、前述した従来技術における実状からなされたもので、その目的は、監視業務を停止させることなく、記録されているデータを効率よく更新することが可能なデータ同期登録装置を提供することにある。
【課題を解決するための手段】
【０００８】
前記目的を達成するために、本発明に係るデータ同期登録装置は、建築物に設置された所定の機器の異常を検知した場合に通報情報を発信する端末装置からの前記通報情報を受信する受信装置と、この受信装置にて受信した通報情報を記録する少なくとも３つ以上のデータ記憶装置と、これら複数のデータ記憶装置へのデータの記録が可能なデータ処理装置とを備えた監視センタ装置のデータを更新するためのデータ同期登録装置であって、前記複数のデータ記憶装置のうちのいずれか２つに記録されているデータ間の差分データを抽出するデータ差分抽出装置と、このデータ差分抽出装置にて抽出した差分データを、前記２つのデータ記憶装置のうちの前記差分データが記録されていない一方に記録させるデータ同期装置とを有し、前記データ同期装置は、前記データ差分抽出装置にて抽出された差分データを、前記２つのデータ記憶装置とは異なるデータ記憶装置に記録させるとともに、このデータ記憶装置に差分データを記憶させた後に前記データ差分抽出装置にて抽出される新たな差分データを、前記２つのデータ記憶装置のうちの前記新たな差分データが記録されていない一方と、前記２つのデータ記憶装置とは異なるデータ記憶装置とのそれぞれに記録させることを特徴としている。
【０００９】
このように構成した本発明は、複数のデータ記憶装置のうちのいずれか２つに記録されているデータ間の差分データがデータ差分抽出装置にて抽出され、この抽出された差分データが、この差分データが記録されていない一方のデータ記憶装置に記録される。この結果、これらデータ記憶装置に記録されているデータ間の差分データが、この差分データが記録されていない一方のデータ記憶装置に記録されていくため、これらデータ記録装置のいずれかを用いて監視センタ装置による監視業務を継続させることができる。よって、この監視センタ装置による監視業務を停止させることなく、データ記憶装置に記録されているデータを効率よく更新できる。
【００１０】
また、データ差分抽出装置にて抽出された差分データが、この差分データが抽出された２つのデータ記憶装置とは異なるデータ記憶装置に記録される。そして、このデータ記憶装置に差分データを記憶させた後にデータ差分抽出装置にて抽出される新たな差分データが、この差分データが抽出された２つのデータ記憶装置のうちの新たな差分データが記録されていない一方と、これら２つのデータ記憶装置とは異なるデータ記憶装置のそれぞれに記録される。よって、これらデータ記憶装置のいずれか一方に不具合が発生した場合であっても、これらデータ記憶装置のいずれか他方を用いて監視業務を継続することが可能であるため、監視業務を停止させることなくデータをより効率よく確実に更新できる。
【００１１】
さらに本発明は、請求項１記載のデータ同期登録装置において、前記データ処理装置は、前記データ差分抽出装置による差分データの抽出と、前記データ同期装置による前記差分データの記録とを繰り返させ、前記データ差分抽出装置にて差分データが抽出されない場合に、前記２つのデータ記憶装置のうちのいずれか一方を切り離し可能とすることを特徴としている。
【００１２】
このように構成した本発明は、データ差分抽出装置による差分データの抽出と、データ同期装置による差分データの記録とを繰り返すことによって、データ差分抽出装置にて差分データが抽出されず、この差分データを抽出した２つのデータ記憶装置のそれぞれに更新データが記録され同期した状態となる。この結果、これら２つのデータ記憶装置のうちの一方を不要にでき、これら２つのデータ記憶装置のいずれか一方を切り離し、これら２つのデータ記憶装置のいずれか他方と、これら２つのデータ記憶装置とは異なるデータ記憶装置とに更新できるため、データ記憶装置に記録されたデータを効率よく更新できる。
【発明の効果】
【００１３】
本発明は、複数のデータ記憶装置のうちの指定するいずれか２つのデータ記憶装置に記録されているデータ間の差分データを、データ差分抽出装置にて抽出し、この差分データを、これら２つのデータ記憶装置のうちの差分データが記録されていない一方に記録させる。この結果、これら２つのデータ記憶装置に記録されているデータの差分データが、この差分データが記録されていない一方のデータ記憶装置に記録され、これらデータ記憶装置のいずれかを用いて監視センタ装置による監視業務を行うことができる。このように本発明は、監視センタ装置による監視業務を停止させることなく、各データ記憶装置に記録されているデータを効率よく更新することができる。
【図面の簡単な説明】
【００１４】
【図１】本発明に係るデータ同期登録装置の第１実施形態が備えられる遠隔監視システムの概要を示す図である。
【図２】本発明の第１実施形態が備えられる遠隔監視システムのデータ更新方法を示すフローチャートである。
【図３】本発明の第１実施形態が備えられる遠隔監視システムの他のデータ更新方法の概要を示す図である。
【発明を実施するための形態】
【００１５】
以下、本発明に係るデータ同期登録装置の実施の形態を図に基づいて説明する。
【００１６】
図１は、本発明に係るデータ同期登録装置の第１実施形態が備えられる遠隔監視システムの概要を示す図である。
【００１７】
この図１に示す遠隔監視システムは、遠隔地に建築された複数のビル等の建築物に設置された昇降機や空調設備等の所定の機器である図示しないビル設備機器の稼働状態を遠隔監視するためのシステムである。そして、この遠隔監視システムは、これらビル設備機器を監視する複数の端末装置１１ａ，１１ｂ，〜１１ｎを備えている。ここで、これら複数の端末装置１１ａ，１１ｂ，〜１１ｎは、これら各端末装置１１ａ，１１ｂ，〜１１ｎが接続されたビル設備機器の異常を検知するための監視端末であり、一つの群とされて端末装置群１として所定の建築物に取り付けられている。
【００１８】
また、これら端末装置１１ａ，１１ｂ，〜１１ｎは、インターネット等の通信回線網２を介して現行の監視センタ装置３内の複数台の受信装置３１ａ，３１ｂ，〜３１ｎに選択的に接続されている。さらに、これら端末装置１１ａ，１１ｂ，〜１１ｎは、これら端末装置１１ａ，１１ｂ，〜１１ｎのうちのいずれかが所定のビル設備機器の異常を検知した場合に、故障情報等の通報情報を発信し、この通報情報を受信装置３１ａ，３１ｂ，〜３１ｎに受信させる。
【００１９】
ここで、この現行の監視センタ装置３は、受信装置３１ａ，３１ｂ，〜３１ｎに加え、これら受信装置３１ａ，３１ｂ，〜３１ｎにて受信した情報を処理するパーソナルコンピュータ（ＰＣ）等の処理装置３３を備えている。また、この監視センタ装置３は、処理装置３３にて処理した種々の情報や通報情報等の監視データを記録させて保管管理する複数、例えば２台の第１および第２のデータ記憶装置３５ａ，３５ｂを備えている。そして、これら受信装置３１ａ，３１ｂ，〜３１ｎ、処理装置３３、および第１および第２のデータ記憶装置３５ａ，３５ｂは、情報の伝送が円滑になるよう構内通信網、すなわちＬＡＮ（ローカルネットワーク）３４によって互いに接続されている。
【００２０】
さらに、第１および第２のデータ記憶装置３５ａ，３５ｂは、それぞれＬＡＮ３４を介して処理装置３３に接続されている。この処理装置３３は、主たるデータ記憶装置として第１のデータ記憶装置３５ａを用い、この第１のデータ記憶装置３５ａに何等かの不具合が生じ、この第１のデータ記憶装置３５ａからのデータの読み出しができない場合に、第２のデータ記憶装置３５ｂを用い、この第２のデータ記憶装置３５ｂからデータの読み出しするように設定されている。
【００２１】
そして、受信装置３１ａ，３１ｂ，〜３１ｎは、通信回線網２を介して端末装置１１ａ，１１ｂ，〜１１ｎから発信されてくる故障情報等の通報情報を受信する。また、第１および第２のデータ記憶装置３５ａ，３５ｂは、端末装置１１ａ，１１ｂ，〜１１ｎを識別するための端末情報や、これら端末装置１１ａ，１１ｂ，〜１１ｎで発生した過去の故障情報等にて構成された来歴情報等が記録されて保存される。
【００２２】
次いで、処理装置３３は、この処理装置３３へと送られている情報を処理するデータ処理装置５０を備えている。また、この処理装置３３は、第１および第２のデータ記憶装置３５ａ，３５ｂとの間の差分データを抽出する差分データ抽出装置５１と、この差分データを、この差分データが保存されていない未記録側の第１および第２のデータ記憶装置３５ａ，３５ｂのいずれか一方に記録させて保存させるデータ同期装置５２とを備えている。さらに、これら差分データ抽出装置５１とデータ同期装置５２とによって、データ同期登録装置５３が構成されている。このデータ同期登録装置５３は、差分データ抽出装置５１およびデータ同期装置５２によって、第１および第２のデータ記憶装置３５ａ，３５ｂに記録されているデータを更新させるとともに、これら第１および第２のデータ記憶装置３５ａ，３５ｂとは異なる、第３のデータ記憶装置３５ｃにデータを移行させる際に用いられるものである。
【００２３】
ここで、データ処理装置５０は、端末装置１１ａ，１１ｂ，〜１１ｎから受信した通報情報とともに、この故障情報を発信した端末装置１１ａ，１１ｂ，〜１１ｎに付随して記録されている端末コードに基づく契約顧客名称および住所を第１または第２のデータ記憶装置３５ａ，３５ｂから読み出す。また、このデータ処理装置５０は、これら契約顧客名称および住所とともに、端末装置１１ａ，１１ｂ，〜１１ｎが設置されているビルの名称および住所、このビルのビル設備機器の保守業務を担当している営業所等の端末情報を第１または第２のデータ記憶装置３５ａ，３５ｂから読み出す。さらに、このデータ処理装置５０は、端末装置１１ａ，１１ｂ，〜１１ｎの故障来歴情報を必要に応じ、図示しない操作卓に表示させ、この操作卓に着席したオペレータの業務に必要な情報を素早く提供する。
【００２４】
さらに、データ処理装置５０は、第１および第２のデータ記憶装置３５ａ，３５ｂへの種々のデータの記録が可能に構成されている。そして、このデータ処理装置５０は、例えばオペレータにて操作卓から入力された端末情報を、これら第１および第２のデータ記憶装置３５ａ，３５ｂに記録させる。また、データ同期登録装置５３の差分データ抽出装置５１は、第１のデータ記憶装置３５ａに記録されている第１のデータと、第２のデータ記憶装置３５ｂに記録されている第２のデータとの間の異なるデータである差分データを抽出する。
【００２５】
なお、図１においては、第２のデータ記憶装置３５ｂと交換するための、データ移行用の第３のデータ記憶装置３５ｃが、ＬＡＮ３４を介して処理装置３３に接続されている。この第３のデータ記憶装置３５ｂもまた、受信装置３１ａ，３１ｂ，〜３１ｎにて受信した通報情報を記録するものであって、データ差分抽出装置５１にて抽出された差分データが記録され、この差分データを記録させた後に抽出される差分データが、第１および第２のデータ記憶装置３５ａ，３５ｂのうちの未記録側の一方とともに記録される。
【００２６】
次いで、上記遠隔監視システムの通常の監視業務について説明する。
【００２７】
まず、新規の端末装置１１ｎの登録業務は、遠隔監視システムの監視センタ装置３が設置されている監視センタの操作卓に着席したオペレータが、予め作成された入力票に基づいて操作卓を操作し、新規の端末装置１１ｎの端末情報等を入力する。すると、この入力された端末情報は、処理装置３３のデータ処理装置５０にて処理され、第１および第２のデータ記憶装置３５ａ，３５ｂのそれぞれに記録される。この結果、この監視センタ装置３は、２４時間３６５日に亘って各端末装置１１ａ，１１ｂ，〜１１ｎからの通報情報の受信、すなわち故障通報受信業務等の遠隔監視業務に対応した状態となる。
【００２８】
そして、予め登録した端末装置１１ａ，１１ｂ，〜１１ｎが接続され、例えば遠隔地のビルのいずれかのビル設備機器が故障等した場合においては、この故障等したビル設備機器の異常を監視している端末装置１１ａから通報情報が発信され、通信回路網２を介して、いずれかの受信装置３１ａにて受信される。さらに、この受信装置３１ａにて受信された通報情報は、この受信装置３１ａから処理装置３３のデータ処理装置５０を介して操作卓へと送信されるとともに、この処理装置５０の第１および第２のデータ記憶装置３５ａ，３５ｂに送信されて記録される。
【００２９】
このとき、受信した通報情報に付随している端末コード等に基づいて、例えば第１のデータ記憶装置３５ａに記憶されている第１のデータの中から、通報情報を発信した端末装置１１ａの契約顧客名称および住所がデータ処理装置５０にて読み出されて操作卓へ送信される。また同時に、この端末装置１１ａが設置されているビルの名称および住所、このビルのビル設備機器の保守管理を担当している営業所等の端末情報がデータ処理装置５０にて読み出されて操作卓へ送信される。さらに、通報情報を発信した端末装置１１ａからの最近の通報状況、すなわち故障情報が、例えば第１のデータ記憶装置３５ａからデータ処理装置５０にて読み出されて操作卓へ送信される。
【００３０】
そして、この操作卓の操作を担当しているオペレータが、この操作卓のモニタに表示されている故障情報に応じて、担当者の出動の要否を判断する。この判断の結果、出動が必要と判断した場合においては、通報情報を発信した端末装置１１ａが設置されているビルの保守担当営業所の担当者に出動の指示をする。ここで、データ処理装置５０は、通常の場合、第１のデータ記憶装置３５ａから必要に応じたデータを読み出すが、この第１のデータ記憶装置３５ａに何等かの支障が生じ、この第１のデータ記憶装置３５ａから必要に応じたデータの読み出しができない場合には、第２のデータ記憶装置３５ｂから必要に応じたデータを読み出す。
【００３１】
さらに、通報情報とともに端末情報が送られた操作卓の操作を担当するオペレータは、出動の指示を出した担当者と電話や電子メール等で連絡を取る。さらに、このオペレータは、必要に応じ、通報情報を発信した端末装置１１ａの過去の故障情報を電子メール等で送信して担当者に提供し、通報情報を発信した端末装置１１ａが取り付けられたビル設備機器の故障等の迅速な復旧を支援する。
【００３２】
図２は、本発明の第１実施形態が備えられる遠隔監視システムのデータの更新方法を示すフローチャートである。以下、この図２に示すフローチャートに基づいて、遠隔監視システムの監視センタ装置３の第２のデータ記憶装置３５ｂを、新規な第３のデータ記憶装置３５ｃに交換して更新する手順について説明する。
【００３３】
はじめに第１段階として、図１に示すように、監視センタ装置３のＬＡＮ３４に第３のデータ記憶装置３５ｃを接続し、この第３のデータ記憶装置３５ｃを、データ処理装置５０、データ差分抽出装置５１およびデータ同期装置５２のそれぞれに登録する（ステップＳ１）。
【００３４】
次いで、処理装置３３を操作して特定の第２および第３のデータ記憶装置３５ｂ，３５ｃを指定し、これら第２および第３のデータ記憶装置３５ｂ，３５ｃに記録されているデータをデータ差分抽出装置５１にて比較し、これらデータの差分である第１の差分データをデータ差分抽出装置５１にて抽出する（ステップＳ２）。
【００３５】
そして、このステップＳ２にて抽出した第１の差分データを、データ同期装置５２にて第３のデータ記憶装置３５ｃに記録させ、第１段階のデータ同期登録を行う（ステップＳ３）。このとき、この第１の差分データの第３のデータ記憶装置３５ｃへの記録は、長時間にわたって第２のデータ記憶装置３５ｂに記録された膨大な量のデータを第３のデータ記憶装置３５ｃに記録させて登録させるため、比較的長時間を要する。
【００３６】
このとき、上記ステップＳ２およびステップＳ３との間、すなわち第１の差分データを抽出して第３のデータ記憶装置３５ｃに記録させるまでの間において、いずれかの端末装置１１ａ，１１ｂ，〜１１ｎから新規に通報されてくる通報情報に関するデータについては、データ処理装置５０にて第１のデータ記憶装置３５ａに記録させる。このとき、操作卓への表示が必要な各データについては、第１のデータ記憶装置３５ａから読み出されて操作卓のモニタ等に表示されるため、通常の監視業務の継続が可能となる。
【００３７】
さらに、上記ステップＳ３での第１の差分データの第３のデータ記憶装置３５ｃへの記録が完了した時点においては、この第３のデータ記憶装置３５ｃへ第１の差分データを記録させて登録させている間の通報情報に関する各データが存在する。このため、第１および第３のデータ記憶装置３５ａ，３５ｃに記録されているデータをデータ差分抽出装置５１にて比較し、これらデータの差分である第２の差分データをデータ差分抽出装置５１にて抽出する（ステップＳ４）。
【００３８】
そして、このステップＳ４にて抽出した第２の差分データを、データ同期装置５２にて第２および第３のデータ記憶装置３５ｂ，３５ｃのそれぞれに記録させる（ステップＳ５）。このとき、第２のデータ記憶装置３５ｂは、本更新作業が完了した際に不要となる。ところが、第１および第３のデータ記憶装置３５ａ，３５ｃのいずれかが更新作業中に何らかの不具合等が発生した場合においても、通常の監視業務に支障が無いようにする目的から、本更新作業が完了するまでの間、すべての第１〜第３のデータ記憶装置３５ａ，３５ｂ，３５ｃのそれぞれを同期させる。またこのとき、この第２の差分データの第２および第３のデータ記憶装置３５ｂ，３５ｃへの登録、すなわち第２段階のデータ同期登録においては、第１段階でのデータ同期登録の際に比べ、記録させるデータの量が少ないため、作業時間が少なく短時間で完了できる。
【００３９】
さらに、データ差分抽出装置５１にて、第１のデータ記憶装置３５ａに記録されているデータと第３のデータ記憶装置３５ｃに記録されているデータとの間の差分データがデータ差分抽出装置５１にて抽出されなくなるまで、上記ステップＳ４での差分データの抽出、およびステップＳ５でのデータ同期登録を繰り返させる。そして、このデータ差分抽出装置５１にて差分データが抽出されなくなった場合に、第１および第３のデータ記憶装置３５ａ，３５ｃに記録されているデータが完全に同期したとデータ処理装置５０にて判断され（ステップＳ６）、第２のデータ記憶装置３５ｂをＬＡＮ３４から切り離しても良い指示、すなわち切り離し許可表示を操作卓に表示させる。この後、この切り離し許可表示を確認したオペレータが、第２のデータ記憶装置３５ｂをＬＡＮ３４から切り離し作業し、通報情報に関するデータの更新作業を終了させる（ステップＳ７）。
【００４０】
なお、上述のステップＳ１〜ステップＳ７までの更新作業を繰り返して、第１および第２のデータ記憶装置３５ａ，３５ｂの更新作業を１台ずつ行うことにより、これら第１および第２のデータ記憶装置３５ａ，３５ｂのそれぞれを新たな２台の図示しないデータ記憶装置に更新することができる。
【００４１】
このように構成した第１実施形態によれば、監視センタ装置３の複数のデータ記憶装置３５ａ，３５ｂのうちの一つ、例えば第２のデータ記憶装置３５ｂを交換して更新する場合に、この監視センタ装置３のＬＡＮ３４に新たな更新用の第３のデータ記憶装置３５ｃを接続して登録する。次いで、この第３のデータ記憶装置３５ｃに記録されているデータと、追って不要となる第２のデータ記憶装置３５ｂに記録されているデータとの間の第１の差分データをデータ差分抽出装置５１にて抽出し、この第１の差分データを第３のデータ記憶装置３５ｃに記録させる。
【００４２】
さらに、この第１の差分データを第３のデータ記憶装置３５ｃに記録させる際に更新される新たな通報情報に関するデータを、第１のデータ記憶装置３５ａに記録させる。よって、この第１のデータ記憶装置３５ａを用いることにより、監視センタ装置３による監視業務を停止させることなる、第２のデータ記憶装置３５ｂに記録されているデータを効率よく更新することができる。
【００４３】
また、この第１の差分データを抽出して第３のデータ記憶装置３５ｃに記録させるまでの間に、新たに端末装置１１ａ，１１ｂ，〜１１ｎから通報され第１のデータ記憶装置３５ａに記録されたデータを、これら第１および第３のデータ記憶装置３５ａ，３５ｂ間のデータの差分、すなわち第２の差分データとしてデータ差分抽出装置５１にて抽出する。そして、この第２の差分データを第３のデータ記憶装置３５ｃに記録させることにより、この第３のデータ記憶装置３５ｃを第１および第２のデータ記憶装置３５ａ，３５ｂに同期でき、第２のデータ記憶装置３５ｂを取り外し可能な状態にできる。
【００４４】
このとき、第２の差分データを第３のデータ記憶装置３５ｃに記録させる際に、この第２の差分データを第２のデータ記憶装置３５ｂに記録させる。この結果、更新作業中に第１および第３のデータ記憶装置３５ａ，３５ｂ，３５ｃのいずれかに何らかの不具合等が発生した場合においても、第２のデータ記憶装置３５ｂを用いて監視業務を継続させることができる。よって、監視センタ装置３を停止させることなく、この監視センタ装置３による監視業務を継続しながら、第１および第２のデータ記憶装置３５ａ，３５ｂに記録されたデータをより効率よく確実に更新できる。
【００４５】
さらに、データ差分抽出装置５１にて第２の差分データが抽出されなくなるまで、このデータ差分抽出装置５１による第２の差分データの抽出と、この第２の差分データのデータ同期装置５２による記録とを繰り返す。この結果、この第２の差分データを抽出した第１および第３のデータ記憶装置３５ａ，３５ｂのそれぞれに更新データが記録され同期した状態になる。この状態においては、第２のデータ記憶装置３５ｂが不要になり切り離し可能となる。このため、この第２のデータ記憶装置３５ｂを切り離すことによって、監視センタ装置３を第１および第３のデータ記憶装置３５ａ，３５ｃに更新できるため、第１および第２のデータ記憶装置３５ａ，３５ｂに記録されたデータを効率よく更新できる。
【００４６】
また、図３は、本発明の第１実施形態が備えられる遠隔監視システムの他のデータ更新方法の概要を示す図である。以下、監視センタ装置３全体を、この監視センタ装置３と同様に構成された新たな新監視センタ装置４に更新する場合の方法について説明する。
【００４７】
具体的に、図３に示す更新方法は、監視センタ装置３の第１および第２のデータ記憶装置３５ａ，３５ｂのそれぞれに記録されているデータを、新監視センタ装置４の新たな２台の第１および第２のデータ記憶装置４５ａ，４５ｂに更新する方法である。そして、第１段階として、現在使用中の監視センタ装置３のＬＡＮ３４と、新たな新監視センタ装置４のＬＡＮ４４との間にＬＡＮ中継装置５を接続する。
【００４８】
次いで、監視センタ装置３または新監視センタ装置４の処理装置３３，４３のいずれかのデータ処理装置５０、データ差分抽出装置５１およびデータ同期装置５２を用い、監視センタ装置３の第１および第２のデータ記憶装置３５ａ，３５ｂに記録されたデータを、新監視センタ装置４の第１および第２のデータ記憶装置４５ａ，４５ｂに記録させる。
【００４９】
さらに、これら第１および第２のデータ記憶装置３５ａ，３５ｂ，４５ａ，４５ｂの計４台に記録されている各データの同期を完了させた後、ＬＡＮ中継装置５を切り離すとともに、新監視センタ装置４の各受信装置４１ａ，４１ｂ，〜４１ｎのそれぞれを通信回線網２に接続する。この結果、監視センタ装置３を切り離し可能にできるとともに、この監視センタ装置３にて継続していた監視業務を、新監視センタ装置４にて支障なく継続させることが可能となる。よって、従前の監視センタ装置３の設置場所とは異なる場所に新監視センタ装置４を設置して移転する場合であっても、各端末装置１１ａ，１１ｂ，〜１１ｎからの通報情報を受信して行う故障通報受信業務を停止させることなく監視センタ装置３の移転が可能となる。
【００５０】
なお、監視センタ装置３全体を新たな新監視センタ装置４に更新する場合においては、これら監視センタ装置３および新監視センタ装置４のいずれかの処理装置３３，４３にデータ差分抽出装置５１およびデータ同期装置５１が取り付けられていれば良い。特に、従前の監視センタ装置３全体を更新する場合においては、データ差分抽出装置５１およびデータ同期装置５２を備えた新監視センタ装置３を用いることによって、従前の監視センタ装置３の第１および第２のデータ記憶装置３５ａ，３５ｂに記録されたデータを更新できる。
【００５１】
さらに、本発明は、上述した実施形態に限られず、本発明の技術的思想の範囲内において種々の実施形態が可能である。例えば、上記第１実施形態においては、処理装置３３のデータ処理装置５１とは別個の構成として、データ差分抽出装置５１およびデータ同期装置５２を備えたデータ同期登録装置５３を説明した。しかしながら、本発明においては、この構成に限られず、データ同期登録装置５３をデータ処理装置５０と一体に構成したり、このデータ同期登録装置５３による処理機能をデータ処理装置５０の一つの処理機能としたりすることもできる。
【符号の説明】
【００５２】
１    端末装置群
２    通信回線網
３    監視センタ装置
４    新監視センタ装置
５    ＬＡＮ中継装置
１１ａ，１１ｂ，〜１１ｎ    端末装置
３１ａ，３１ｂ，〜３１ｎ    受信装置
３３    処理装置
３４    ＬＡＮ
３５ａ    第１のデータ記憶装置
３５ｂ    第２のデータ記憶装置
３５ｃ    第３のデータ記憶装置
４１ａ，４１ｂ，〜４１ｎ    受信装置
４３    処理装置
４４    ＬＡＮ
４５ａ    第１のデータ記憶装置
４５ｂ    第２のデータ記憶装置
５０    データ処理装置
５１    差分データ抽出装置
５２    データ同期装置
５３    データ同期登録装置
【図１】
0005575723.tif 000002
【図２】
0005575723.tif 000003
【図３】
0005575723.tif 000004